(57)【要約】【課題】コネクタキャップのコネクタへの装着忘れを防止しできるコネクタユニットを実現する。【解決手段】カメラ側ケーブルコネクタ（１５ａ）は、コネクタの中心軸から外側に向かって回転可能に接続する掛止部（１５２）を備え、コネクタの中心軸に直交する断面において、コネクタ全体に外接する外接円（Ｃ）の直径は、コネクタキャップ（５０）が装着されている状態では所定の値よりも小さくなり、未装着の状態では所定の値よりも大きくなる。【選択図】図１
2019179701.tif 000002
【特許請求の範囲】
【請求項１】
コネクタキャップを装着可能なコネクタであって、
コネクタ本体の側壁に設けられた回動軸を介して、前記コネクタの中心軸から外側に向かって回転可能に当該コネクタ本体の側壁に接続する幅調整部を備え、
前記コネクタの中心軸に直交する断面において、前記コネクタ全体に外接する外接円の直径は、（１）前記コネクタキャップが装着されている状態では、所定の値よりも小さくなり、（２）前記コネクタキャップが未装着の状態では、前記所定の値よりも大きくなることを特徴とするコネクタ。
【請求項２】
前記コネクタが前記幅調整部を複数備えており、
複数の前記幅調整部の前記コネクタの中心軸から最も離れた部分に外接する外接円の直径は、（１）前記コネクタキャップが装着されている状態では、前記所定の値よりも小さくなり、（２）前記コネクタキャップが未装着の状態では、前記所定の値よりも大きくなることを特徴とする請求項１に記載のコネクタ。
【請求項３】
前記コネクタが前記幅調整部を１つのみ備えており、
前記幅調整部の前記コネクタの中心軸から最も離れた部分と、前記コネクタ本体とに外接する外接円の直径は、（１）前記コネクタキャップが装着されている状態では、前記所定の値よりも小さくなり、（２）前記コネクタキャップが未装着の状態では、前記所定の値よりも大きくなることを特徴とする請求項１に記載のコネクタ。
【請求項４】
前記コネクタ本体と前記幅調整部との間に、前記幅調整部を前記コネクタの中心軸から外側に向かって回転させる方向に付勢する付勢力を有する弾性体が設けられており、
前記コネクタキャップが装着されている状態において、前記コネクタキャップと前記コネクタ本体とが前記幅調整部の少なくとも一部を挟み込むことを特徴とする請求項１から３の何れか１項に記載のコネクタ。
【請求項５】
前記コネクタ本体の側壁上にて前記コネクタの中心軸方向に摺動する摺動部と、
前記摺動部を前記コネクタの先端側に向かう方向に付勢する付勢力を有する弾性体とを備えており、
前記幅調整部は、前記コネクタの中心軸から外側に向かって前記幅調整部を曲折させる曲折部を備え、かつ、コネクタ本体の側壁に設けられた回動軸を介して前記コネクタの中心軸から外側に向かって回転可能に前記摺動部に接続しており、
前記コネクタキャップが装着されている状態において、前記コネクタキャップは前記摺動部を前記コネクタの根元側に押し戻すように固定されることを特徴とする請求項１から３の何れか１項に記載のコネクタ。
【請求項６】
前記幅調整部と前記コネクタキャップとはワイヤによって接続されており、
前記コネクタキャップを前記コネクタから外すことにより、前記幅調整部は前記ワイヤに引っ張られて、前記コネクタの中心軸から外側に向かって回転し、
前記コネクタキャップが装着されている状態においては、前記コネクタキャップと前記コネクタ本体とが前記幅調整部の少なくとも一部を挟み込むことを特徴とする請求項１から３の何れか１項に記載のコネクタ。
【請求項７】
体内を監視するための体内撮像装置であって、
体外に設けられている制御システムとの間の通信を可能にするケーブルを備え、
前記ケーブルの端部に、請求項１から６の何れか１項に記載のコネクタが設けられていることを特徴とする体内撮像装置。
【発明の詳細な説明】
【技術分野】
【０００１】
本発明はコネクタキャップを装着可能なコネクタおよび当該コネクタを備えた体内撮像装置に関する。
【背景技術】
【０００２】
電子機器と該電子機器との間の電気的接続を行うコネクタにおいて、非接続状態にあるときに該コネクタの開口部を塞ぐ必要が生じ得る。
【０００３】
特許文献１には、患者への負担を増加させることなく、低侵襲な外科手術が行えることができると共に、体内導入時の作業性が向上する医療装置を提供することを目的とした、医療装置の構成が開示されている。詳細には、該医療装置は、体内に導入され、体内を撮像する撮像ユニットと、外部機器と信号を授受する通信ケーブルと、通信ケーブルの端部に配設された電気端子部と、電気端子部を覆って装着される防滴キャップ等を具備する。
【先行技術文献】
【特許文献】
【０００４】
【特許文献１】特許第４５９９４７４号公報（２０１０年１２月１５日発行）
【発明の概要】
【発明が解決しようとする課題】
【０００５】
ここで、電子機器の使用用途によっては、該電子機器の設置工程または除去工程においてコネクタの開口部を塞ぐことが必須となり得る場合がある。しかしながら、特許文献１の構成は、医療装置の設置工程または除去工程において通信ケーブルの端部を上述のキャップで塞ぎ忘れることを防止することを観点とした構成ではない。
【０００６】
本発明の一態様は、コネクタキャップの装着忘れを防止することができるコネクタ等を実現することを目的とする。
【課題を解決するための手段】
【０００７】
上記の課題を解決するために、本発明の一態様に係るコネクタは、コネクタキャップを装着可能なコネクタであって、コネクタ本体の側壁に設けられた回動軸を介して、前記コネクタの中心軸から外側に向かって回転可能に当該コネクタ本体の側壁に接続する幅調整部を備え、前記コネクタの中心軸に直交する断面において、前記コネクタ全体に外接する外接円の直径は、（１）前記コネクタキャップが装着されている状態では、所定の値よりも小さくなり、（２）前記コネクタキャップが未装着の状態では、前記所定の値よりも大きくなる。
【発明の効果】
【０００８】
本発明の一態様によれば、コネクタキャップの装着忘れを防止することができるという効果を奏する。
【図面の簡単な説明】
【０００９】
【図１】（ａ）から（ｆ）は、本発明の実施形態１に係るカメラ側ケーブルコネクタの構成の一例を示す図である。
【図２】（ａ）から（ｆ）は、本発明の実施形態１に係るカメラ側ケーブルコネクタの構成の一例を示す図である。
【図３】（ａ）および（ｂ）は、コネクタキャップの装着の有無に応じた本発明の実施形態１に係るカメラ側ケーブルコネクタの幅を示す図である。
【図４】本発明の実施形態１に係る体内監視カメラシステム１の構成の一例を示す模式図である。
【図５】（ａ）から（ｆ）は、本発明の実施形態１に係るカメラユニットの体内設置方法の一例を示す模式図である。
【図６】（ａ）から（ｅ）は、本発明の実施形態１に係るカメラユニットの体内からの除去方法の一例を示す模式図である。
【図７】（ａ）から（ｉ）は、本発明の実施形態１の変形例に係るカメラ側ケーブルコネクタに対するコネクタキャップの装着を保持するための構成の一例を示す図である。
【図８】（ａ）から（ｄ）は、実施形態１の変形例に係るカメラ側ケーブルコネクタの一例を示す図である。
【図９】（ａ）から（ｅ）は、本発明の本実施形態１の変形例に係るコネクタキャップとカメラ側ケーブルコネクタとの繋ぎ方の一例を示す図である。
【図１０】（ａ）から（ｄ）は、本発明の実施形態１の変形例に係るに係るコネクタキャップおよび設置治具の一例を示す図である。
【図１１】（ａ）から（ｆ）は、本発明の実施形態２に係るカメラ側ケーブルコネクタの構成の一例を示す図である。
【図１２】（ａ）および（ｄ）は、本発明の実施形態３に係るカメラ側ケーブルコネクタの構成の一例を示す図である。
【図１３】（ａ）から（ｄ）は、本発明の実施形態３の変形例に係るカメラ側ケーブルコネクタの構成の一例を示す図である。
【図１４】（ａ）から（ｄ）は、本発明の実施形態３の他の変形例に係るカメラ側ケーブルコネクタの構成の一例を示す図である。
【発明を実施するための形態】
【００１０】
〔実施形態１〕
以下、本発明の一実施形態について、詳細に説明する。
【００１１】
（カメラ側ケーブルコネクタ１５ａの概要）
図４は、本実施形態に係る体内監視カメラシステム１の構成の一例を示す模式図である。本実施形態においては、カメラ側ケーブルコネクタ１５ａが体内監視カメラシステム１に適用される例について説明する。
【００１２】
図４に示すように、カメラユニット１１は腹壁４１の内部、すなわち、体内に設置される。カメラユニット１１の体内の設置に伴い、カメラ側ケーブルコネクタ１５ａは、体内に、一旦、挿入された後、体外に引き出される。また、カメラユニット１１の体内からの除去に伴い、カメラ側ケーブルコネクタ１５ａは、トロッカ３１を通して、体内に、一旦、挿入された後、体外に引き出される。
【００１３】
カメラユニット１１の設置の工程または除去の工程において、カメラ側ケーブルコネクタ１５ａの端子が体内にて濡れるとカメラ側ケーブルコネクタ１５ａに接触不良が生じる可能性がある。そのため、カメラ側ケーブルコネクタ１５ａを体内に挿入する場合、カメラ側ケーブルコネクタ１５ａにはコネクタキャップ５０が装着される。
【００１４】
カメラ側ケーブルコネクタ１５ａは、コネクタ本体の側壁に設けられた回動軸（例えば、ヒンジ６０）を介して、カメラ側ケーブルコネクタ１５ａの中心軸から外側に向かって回転可能にコネクタ本体１５０の側壁１５１に接続するか掛止部（幅調整部）１５２を備えている。
【００１５】
詳細は後述するが、図１はカメラ側ケーブルコネクタ１５ａの構成の一例を示す図である。特に、図１の（ｅ）の上図は、コネクタキャップ５０が未装着の状態のカメラ側ケーブルコネクタ１５ａの上面図である。また、図１の（ｆ）の上図は、コネクタキャップ５０が装着の状態のカメラ側ケーブルコネクタ１５ａの上面図である。
【００１６】
図１の（ｅ）および（ｆ）に示すように、カメラ側ケーブルコネクタ１５ａの中心軸に直交する断面において、カメラ側ケーブルコネクタ１５ａ全体に外接する外接円Ｃの直径は、以下のようになる。コネクタキャップ５０が装着されている状態では、外接円Ｃの直径はカメラ側ケーブルコネクタ１５ａの外径または外径と略等しい値となり、所定の値よりも小さい。また、コネクタキャップ５０が未装着の状態では、カメラ側ケーブルコネクタ１５ａ全体に外接する外接円Ｃの直径は、所定の値よりも大きくなる。
【００１７】
カメラ側ケーブルコネクタ１５ａが掛止部１５２を複数備えている構成では、当該外接円は複数の掛止部１５２のカメラ側ケーブルコネクタ１５ａの中心軸から最も離れた部分に外接する外接円となる。
【００１８】
また、上記「所定の値」とは、例えば、トロッカ３１の口径である。
【００１９】
上記の構成によれば、コネクタキャップ５０が未装着の状態では、カメラ側ケーブルコネクタ１５ａを、トロッカ３１に挿入させることができない。よって、ユーザがコネクタをトロッカ３１に挿入させる場合において、ユーザのコネクタキャップ５０の装着忘れを防止することができる。
【００２０】
例えば、カメラ側ケーブルコネクタ１５ａが掛止部１５２を複数備えている構成では、当該外接円は複数の掛止部１５２のカメラ側ケーブルコネクタ１５ａの中心軸から最も離れた部分に外接する外接円となる（図１の（ｅ）および（ｆ）参照）。
【００２１】
また、カメラ側ケーブルコネクタ１５ａが掛止部１５２を１つのみ備えている構成では、当該外接円は掛止部１５２のカメラ側ケーブルコネクタ１５ａの中心軸から最も離れた部分と、カメラ側ケーブルコネクタ１５ａのコネクタ本体１５０とに外接する外接円となる（図８の（ａ）参照）。
【００２２】
なお、本明細書では、カメラ側ケーブルコネクタ１５ａの中心軸に直交する断面において、カメラ側ケーブルコネクタ１５ａ全体に外接する外接円の直径が所定の値よりも小さくなっている状態を、「閉状態」ともよぶ。
【００２３】
また、カメラ側ケーブルコネクタ１５ａの中心軸に直交する断面において、カメラ側ケーブルコネクタ１５ａ全体に外接する外接円の直径が所定の値よりも大きくなっている状態を、「開状態」ともよぶ。
【００２４】
また、カメラ側ケーブルコネクタ１５ａの中心軸に直交する断面において、コネクタ全体に外接する外接円の直径をカメラ側ケーブルコネクタ１５ａの幅ともよぶ。
【００２５】
（カメラ側ケーブルコネクタ１５ａの構成）
図４に示すように、カメラ側ケーブルコネクタ１５ａは機器側ケーブルコネクタ１５ｂに嵌まり、カメラ側ケーブル１２と機器側ケーブル１６とを接続する。
【００２６】
図１および図２を参照して、カメラ側ケーブルコネクタ１５ａの構成について説明する。図１および図２は、本実施形態に係るカメラ側ケーブルコネクタ１５ａの構成の一例を示す図である。
【００２７】
詳細には、図１はコネクタユニット１００の外観を示す図である。図１の（ａ）は、コネクタキャップ５０が装着されていない状態のカメラ側ケーブルコネクタ１５ａの正面図である。図１の（ｂ）は、コネクタキャップ５０の正面図である。図１の（ｄ）は、コネクタキャップ５０が装着されている状態のカメラ側ケーブルコネクタ１５ａの正面図である。図１の（ｃ）は、図１の（ｄ）に示すカメラ側ケーブルコネクタ１５ａをカメラ側ケーブルコネクタ１５ａの中心軸を中心として９０度周回した方向から見たコネクタユニット１００を示す図である。図１の（ｄ）においては、掛止部１５２の１つが、カメラ側ケーブルコネクタ１５ａの正面に位置している。
【００２８】
また、図１の（ｅ）の下図は、コネクタキャップ５０が装着されていないカメラ側ケーブルコネクタ１５ａの斜視図である。図１の（ｅ）の上図は、カメラ側ケーブルコネクタ１５ａの上面図である。図１の（ｆ）は、コネクタキャップ５０が装着されているカメラ側ケーブルコネクタ１５ａの斜視図である。
【００２９】
また、図２は、コネクタユニット１００の中心軸方向の断面を示す図である。図２の（ａ）は、コネクタキャップ５０が装着されている状態のカメラ側ケーブルコネクタ１５ａの断面図である。なお、図２の（ａ）は、図１の（ｄ）に示す点線ａにおけるカメラ側ケーブルコネクタ１５ａの断面図である。また、図２の（ｂ）は、図２の（ａ）に示すカメラ側ケーブルコネクタ１５ａからコネクタキャップ５０を外した状態のカメラ側ケーブルコネクタ１５ａの断面図である。また、図２の（ｃ）は、図２の（ａ）に示すカメラ側ケーブルコネクタ１５ａから外された状態のコネクタキャップ５０の断面図である。
【００３０】
図２の（ｄ）は、コネクタキャップ５０が装着されている状態のカメラ側ケーブルコネクタ１５ａの断面図である。なお、図２の（ｄ）は、図１の（ｃ）に示す点線ｂにおけるカメラ側ケーブルコネクタ１５ａの断面図である。また、図２の（ｅ）は、図２の（ｄ）に示すカメラ側ケーブルコネクタ１５ａからコネクタキャップ５０を外した状態のカメラ側ケーブルコネクタ１５ａの断面図である。また、図２の（ｆ）は、図２の（ｄ）に示すカメラ側ケーブルコネクタ１５ａから外された状態のコネクタキャップ５０の断面図である。
【００３１】
図１の（ａ）および図２の（ｅ）に示すように、カメラ側ケーブルコネクタ１５ａは、側壁１５１、掛止部１５２、ばね１５４、コネクタ本体の側壁に設けられた回動軸（例えば、ヒンジ６０）、カメラ側ケーブル１２および端子９から構成されている。
【００３２】
図１の（ａ）および図２の（ｅ）に示すように、カメラ側ケーブル１２および端子９は側壁１５１内部に配置されている。端子９はカメラ側ケーブル１２と機器側ケーブル１６との通信の接続に用いられる。
【００３３】
（側壁１５１）
側壁１５１は内部に端子９およびカメラ側ケーブル１２を格納することで、端子９およびカメラ側ケーブル１２の保護などを行う。また、図１の（ｅ）、図２の（ｄ）および図２の（ｅ）に示すように、側壁１５１には、カメラ側ケーブルコネクタ１５ａの中心軸方向に延伸する掛止部収納溝１５５が形成されている。掛止部収納溝１５５は、カメラ側ケーブルコネクタ１５ａにコネクタキャップ５０が装着された場合に掛止部１５２を収納する溝である。
【００３４】
また、図１の（ａ）、図１の（ｅ）、図２の（ａ）および図２の（ｂ）に示すように、側壁１５１には、カメラ側ケーブルコネクタ１５ａの中心軸を中心として周回する方向に延伸する嵌合凹部１５６が形成されている。嵌合凹部１５６は後述するコネクタキャップ５０の嵌合凸部５１と嵌合することによって、カメラ側ケーブルコネクタ１５ａに対するコネクタキャップ５０の装着を保持する。例えば、掛止部１５２が掛止部収納溝１５５に収納されている状態において、嵌合凹部１５６と連結する溝が掛止部１５２に形成されており、コネクタキャップ５０の嵌合凸部５１と嵌合してもよい。
【００３５】
（掛止部１５２）
掛止部１５２は、ヒンジ６０を介して、カメラ側ケーブルコネクタ１５ａの中心軸から外側に向かって回転可能にコネクタ本体１５０の側壁１５１に接続している。ここで、コネクタ本体１５０とは、カメラ側ケーブルコネクタ１５ａを構成する部材のうち掛止部１５２、ばね１５４、ヒンジ６０等を除いた構成である。
【００３６】
本実施形態においては、掛止部１５２は、カメラ側ケーブルコネクタ１５ａは２つの掛止部１５２を備えている。２つの掛止部１５２は、カメラ側ケーブルコネクタ１５ａの中心軸を挟んで対向する位置に配置している。掛止部１５２は、カメラ側ケーブルコネクタ１５ａの幅を調整する。
【００３７】
（ばね１５４）
図１の（ａ）、図１の（ｅ）および図２の（ｅ）に示すように、ばね１５４は、コネクタ本体１５０と掛止部１５２との間に配置されている。ばね１５４は、掛止部１５２をカメラ側ケーブルコネクタ１５ａの中心軸から外側に向かって回転させる方向に付勢する付勢力を有する。
【００３８】
そのため、コネクタキャップ５０が未装着の状態では、カメラ側ケーブルコネクタ１５ａの幅はカメラ側ケーブルコネクタ１５ａを挿入するトロッカ３１の口径よりも大きくなる。
【００３９】
（コネクタキャップ５０の構成）
コネクタキャップ５０は、カメラ側ケーブルコネクタ１５ａの先端部分１５３に被せて装着し、カメラ側ケーブルコネクタ１５ａの端子９等を保護するものである。
【００４０】
図１の（ｂ）、図２の（ａ）、図２の（ｃ）および図２の（ｆ）に示すように、コネクタキャップ５０にはコネクタキャップ５０の内側に突出している嵌合凸部５１が形成されている。図２の（ａ）に示すように、嵌合凸部５１はカメラ側ケーブルコネクタ１５ａの嵌合凹部１５６と嵌合することによって、カメラ側ケーブルコネクタ１５ａに対するコネクタキャップ５０の装着を保持する。
【００４１】
また、図２の（ｄ）に示すように、コネクタキャップ５０がカメラ側ケーブルコネクタ１５ａに装着されている状態において、コネクタキャップ５０とコネクタ本体１５０とが掛止部１５２の少なくとも一部を挟み込む。
【００４２】
そのため、コネクタキャップ５０が装着されている状態においては、ばね１５４が掛止部１５２をカメラ側ケーブルコネクタ１５ａの中心軸から外側に向かって回転させる方向に付勢する付勢力を、掛止部１５２を介して押さえつける。よって、カメラ側ケーブルコネクタ１５ａの幅が大きくなることを抑止することができる。そのため、コネクタキャップ５０が装着されている状態では、カメラ側ケーブルコネクタ１５ａの幅をトロッカ３１の口径よりも小さくすることができる。
【００４３】
図３は、コネクタキャップ５０の装着の有無に応じたカメラ側ケーブルコネクタ１５ａの幅を示す図である。図３の（ａ）は、コネクタキャップ５０が装着されているカメラ側ケーブルコネクタ１５ａの幅Ｗ１を示す図である。図３の（ａ）に示すように、カメラ側ケーブルコネクタ１５ａの幅Ｗ１はトロッカ３１の口径Ｗ３よりも小さい。図３の（ｂ）は、コネクタキャップ５０が装着されていないカメラ側ケーブルコネクタ１５ａの幅Ｗ２を示す図である。図３の（ｂ）に示すように、カメラ側ケーブルコネクタ１５ａの幅Ｗ２はトロッカ３１の口径Ｗ３よりも大きい。
【００４４】
（体内監視カメラシステム１）
ここで、体内監視カメラシステム１の詳細について図４を用いて説明する。体内監視カメラシステム１は医療に用いられるシステムである。図４に示すように、体内監視カメラシステム１は、カメラ側ケーブル１２を有する体内に導入されるカメラユニット１１（体内撮像装置）と、体内導入されたトロッカ３１（管状器具）との接続に用いるカメラ支持管１３と、カメラユニット制御機器（制御システム）１７およびディスプレイ１８（表示装置）を含む制御システムと、カメラ側ケーブル１２およびカメラユニット制御機器１７を接続する機器側ケーブル１６とを備える。
【００４５】
カメラ側ケーブル１２は、カメラユニット１１との接続端の反対側にカメラ側ケーブルコネクタ１５ａを有し、機器側ケーブル１６は、カメラユニット制御機器１７との接続端の反対側に機器側ケーブルコネクタ１５ｂを有する。カメラ側ケーブルコネクタ１５ａと機器側ケーブルコネクタ１５ｂとが接続されることによって、カメラユニット１１とカメラユニット制御機器（制御システム）１７との間の通信が可能となる。
【００４６】
体内監視カメラシステム１では、腹壁４１に穿刺されたトロッカ３１の体内側の端部とカメラ支持管１３とが接続される。また、体内に導入されたカメラユニット１１と支持管とが接合され、カメラ側ケーブルコネクタ１５ａがカメラ支持管１３およびトロッカ３１を通って体外に引き出されている。
【００４７】
（カメラユニット１１の体内設置方法および除去方法）
次に、カメラユニット１１の体内設置方法の詳細について説明する。図５の（ａ）〜（ｆ）は、カメラユニット１１の体内設置方法の一例を示す模式図である。図５の（ａ）に示すように、まず、術者は、鉗子や内視鏡を体腔内に挿入するための孔（ポート）を腹壁４１に開け、ポートにトロッカ３２ａ〜３２ｃを挿入する。さらに、カメラユニット１１を体腔内に設置するために、腹壁４１における、患部を含む臓器全体を見渡すことのできる位置にポートを開け、トロッカ３１を挿入する。具体的には、針形状のオブチュレータをトロッカ３１内に通した状態でオブチュレータをポート位置に穿刺することでトロッカ３１が腹壁４１に挿入される。
【００４８】
また、トロッカ３１は、低侵襲性を実現するために、直径が短いものが好ましい。具体的には、トロッカ３１は、直径が３ｍｍ以下であることが好ましい。なお、トロッカ３２ａ〜３２ｃおよびトロッカ３１の少なくとも一つが挿入された後、術者は、トロッカを通してガスを体内に送り、前もって体腔内を膨張させ、器具を挿入する空間を確保しておく。
【００４９】
次に、図５の（ｂ）に示すように、術者は、トロッカ３２ｃを通して内視鏡３４を体腔内に挿入し、内視鏡３４を用いて体内を観察しながら以下の工程を行う。術者は、鉗子３３ａで把持したカメラユニット１１、カメラ側ケーブル１２、カメラ支持管１３およびコネクタユニット１００を、トロッカ３２ｂを通して体腔内に挿入する。このとき、カメラ側ケーブルコネクタ１５ａにはコネクタキャップ５０が装着されている。
【００５０】
次に、図５の（ｃ）に示すように、術者は、鉗子３３ａを操作してカメラユニット１１をトロッカ３１の近傍に移動させるとともに、トロッカ３１を通して設置治具７を体腔内に挿入する。
【００５１】
次に、図５の（ｄ）に示すように、術者は、設置治具７とコネクタユニット１００とを接続させ、カメラ側ケーブル１２を体外に引き出す。なお、カメラ側ケーブル１２の体外への引き出しについては、鉗子等を用いて行ってもよい。
【００５２】
次に、図５の（ｅ）および（ｆ）に示すように、コネクタキャップ５０をカメラ側ケーブルコネクタ１５ａから外すことによって、カメラ側ケーブルコネクタ１５ａの幅をトロッカ３１の口径よりも大きくする。
【００５３】
カメラユニット１１を体内に設置した後は、図４に示すように、カメラ側ケーブルコネクタ１５ａを機器側ケーブルコネクタ１５ｂに嵌め込んでカメラ側ケーブル１２と機器側ケーブル１６とを接続する。これにより、処置部の局所映像は、内視鏡制御機器１１７によってディスプレイ１１８に表示され、カメラユニット１１で撮影された臓器４２内の全体映像はカメラユニット制御機器１７によってディスプレイ１８に表示される。
【００５４】
次に、カメラユニット１１の除去方法の詳細について説明する。図６の（ａ）〜（ｄ）は、カメラユニット１１の体内からの除去方法の一例を示す模式図である。まず、図６の（ａ）および（ｂ）に示すように、ユーザは掛止部１５２を掛止部収納溝１５５に押し込み、コネクタキャップ５０をカメラ側ケーブルコネクタ１５ａに装着する。その結果、カメラ側ケーブルコネクタ１５ａの幅はトロッカ３１の口径よりも小さくなる。
【００５５】
続いて、図６の（ｃ）に示すように、術者は、体内のカメラユニット１１を鉗子３３ａにて把持した状態で、カメラ支持管１３とカメラユニット１１との隙間に鉗子３３ｃを挿し込み、鉗子３３ｃを操作してカメラ支持管１３とカメラユニット１１とを分離する。次いで、図４の（ｄ）から（ｅ）に示すように、術者は、カメラ支持管１３をカメラユニット１１から引き離し、トロッカ３２ｂから、カメラユニット１１、カメラ側ケーブル１２、カメラ支持管１３およびコネクタユニット１００を体外に導出する。このとき、カメラ側ケーブル１２およびコネクタユニット１００は、トロッカ３１を通して一旦体内に戻された後、トロッカ３２ｂを通して体外に引き出される。例えば、ユーザが、コネクタキャップ５０の装着を忘れた場合、カメラ側ケーブルコネクタ１５ａの幅はトロッカ３１の口径よりも大きい。そのため、カメラ側ケーブルコネクタ１５ａをトロッカ３１に通すことはできない。よって、ユーザのコネクタキャップ５０の装着忘れを防止することができる。
【００５６】
（変形例１）
次に、本実施形態に係る変形例について、図７の（ａ）から（ｉ）を参照して説明する。
【００５７】
（概要）
本変形例においては、カメラ側ケーブルコネクタ１５ａに対するコネクタキャップ５０の装着を保持するための構成が設けられている。
【００５８】
（バリエーション１）
図７の（ａ）から（ｃ）は、本変形例に係るカメラ側ケーブルコネクタ１５ａに対するコネクタキャップ５０の装着を保持するための構成の一例を示す図である。図７の（ａ）から（ｃ）に示す例では、カメラ側ケーブルコネクタ１５ａの側壁１５１における先端部分１５３から所定の位置までにネジ山１５７が形成されている。また、コネクタキャップ５０の内壁の開口部分から所定の位置までにネジ山５２が形成されている。
【００５９】
カメラ側ケーブルコネクタ１５ａおよびコネクタキャップ５０の互いのネジ山とネジ溝とが係合し、カメラ側ケーブルコネクタ１５ａに対するコネクタキャップ５０の装着を保持する。コネクタキャップ５０が装着されている状態において、コネクタキャップ５０とコネクタ本体とが掛止部１５２の少なくとも一部を挟み込み、カメラ側ケーブルコネクタ１５ａは閉状態となっている。
【００６０】
（バリエーション２）
次に、カメラ側ケーブルコネクタ１５ａに対するコネクタキャップ５０の装着を保持するための構成の他の例について、図７の（ｄ）から（ｆ）を参照して説明する。図７の（ｄ）から（ｆ）は、本変形例に係るカメラ側ケーブルコネクタ１５ａに対するコネクタキャップ５０の装着を保持するための構成の他の一例を示す図である。
【００６１】
図７の（ｄ）から（ｆ）に示す例では、カメラ側ケーブルコネクタ１５ａの側壁１５１には、カメラ側ケーブルコネクタ１５ａの中心軸方向に延伸し、かつ外部に向けて開口する第１溝１５８が形成されている。第１溝１５８におけるカメラ側ケーブルコネクタ１５ａの先端と反対側の端部には、カメラ側ケーブルコネクタ１５ａの周方向に延伸している第２溝１５９が形成されている。第２溝１５９は第１溝１５８と連通している。また、コネクタキャップ５０の内壁には、カメラ側ケーブルコネクタ１５ａの中心軸に向けて突出し、カメラ側ケーブルコネクタ１５ａの第１溝１５８の内部に可動に配置される凸部５３が設けられている。
【００６２】
本例においては、コネクタキャップ５０の装着は以下のように行われる。凸部５３を第１溝１５８の内部にてカメラ側ケーブルコネクタ１５ａの根元に向けてスライドさせ、さらに、凸部５３をカメラ側ケーブルコネクタ１５ａの周方向にスライドさせる。上記操作により、凸部５３を第２溝１５９内に配置させることができる。
【００６３】
凸部５３が第２溝１５９内に配置されている場合、コネクタキャップ５０がカメラ側ケーブルコネクタ１５ａの先端方向に摺動しようとしても、凸部５３は第２溝１５９の側壁に引掛かる。それゆえ、ユーザが意図しないコネクタキャップ５０のカメラ側ケーブルコネクタ１５ａ先端方向への摺動を防止できる。また、コネクタキャップ５０が装着されている状態において、コネクタキャップ５０とコネクタ本体とが掛止部１５２の少なくとも一部を挟み込み、カメラ側ケーブルコネクタ１５ａは閉状態となっている。
【００６４】
（バリエーション３）
次に、カメラ側ケーブルコネクタ１５ａに対するコネクタキャップ５０の装着を保持するための構成の他の例について、図７の（ｇ）から（ｉ）を参照して説明する。図７の（ｇ）から（ｉ）は、本変形例に係るカメラ側ケーブルコネクタ１５ａに対するコネクタキャップ５０の装着を保持するための構成の他の一例を示す図である。
【００６５】
図７の（ｇ）から（ｉ）に示す例では、コネクタキャップ５０は弾性素材によって形成されている。コネクタキャップ５０の開口部の口径は、カメラ側ケーブルコネクタ１５ａの先端部分１５３における外径以下となっている。コネクタキャップ５０が装着されている状態において、コネクタキャップ５０とコネクタ本体とが掛止部１５２の少なくとも一部を挟み込み、カメラ側ケーブルコネクタ１５ａは閉状態となっている。
【００６６】
（変形例２）
次に、本実施形態に係る変形例について、図８の（ａ）から（ｄ）を参照して説明する。
【００６７】
（概要）
上述の実施形態１においては、２つの掛止部１５２を備えているカメラ側ケーブルコネクタ１５ａについて説明した。本変形例に係るカメラ側ケーブルコネクタ１５ａは１つ或いは３つ以上の掛止部１５２を備えている。
【００６８】
（バリエーション１）
図８の（ａ）は、本変形例に係るカメラ側ケーブルコネクタ１５ａの一例を示す図である。詳細には、図８の（ａ）は、開状態におけるカメラ側ケーブルコネクタ１５ａの一例を示す図である。また、図８の（ｄ）は、開状態でカメラ側ケーブルコネクタ１５ａをトロッカ３１に挿入しようとした場合における、掛止部１５２によるカメラ側ケーブルコネクタ１５ａの挿入制止の例を示している。
【００６９】
図８の（ａ）および（ｄ）に示すように、本例では、カメラ側ケーブルコネクタ１５ａが掛止部１５２を１つのみ備えている。また、掛止部１５２のカメラ側ケーブルコネクタ１５ａの中心軸から最も離れた部分と、コネクタ本体１５０とに外接する外接円Ｃの直径は、以下のようになる。コネクタキャップ５０が装着されている状態では、所定の値よりも小さくなる。また、コネクタキャップ５０が未装着の状態では、所定の値よりも大きくなる。ここで、所定の値はトロッカ３１の口径の値に設定されている。
【００７０】
そのため、図８の（ｄ）に示すように、開状態においては、カメラ側ケーブルコネクタ１５ａをトロッカ３１に通すことはできない。
【００７１】
上記の構成によれば、単数の掛止部１５２を備えているシンプルな構造でコネクタキャップ５０の装着忘れを防止することができるカメラ側ケーブルコネクタ１５ａを実現することができる。
【００７２】
（バリエーション２）
図８の（ｂ）および（ｃ）は、本変形例に係るカメラ側ケーブルコネクタ１５ａの一例を示す図である。詳細には、図８の（ｂ）および（ｃ）は、開状態におけるカメラ側ケーブルコネクタ１５ａの一例を示す図である。
【００７３】
図８の（ｂ）および（ｃ）に示すように、本例では、カメラ側ケーブルコネクタ１５ａが掛止部１５２を３つ以上備えている。詳細には、図８の（ｂ）に示す例では、カメラ側ケーブルコネクタ１５ａは掛止部１５２を３つ備えている。図８の（ｃ）に示す例では、カメラ側ケーブルコネクタ１５ａは掛止部１５２を４つ備えている。
【００７４】
また、複数の掛止部１５２のカメラ側ケーブルコネクタ１５ａの中心軸から最も離れた部分に外接する外接円の直径は、以下のようになる。コネクタキャップ５０が装着されている状態では、所定の値よりも小さくなる。また、コネクタキャップ５０が未装着の状態では、所定の値よりも大きくなる。ここで、所定の値はトロッカ３１の口径の値に設定されている。そのため、開状態においては、カメラ側ケーブルコネクタ１５ａをトロッカ３１に通すことはできない。
【００７５】
なお、複数の掛止部１５２を備えている構成においては、カメラ側ケーブルコネクタ１５ａの中心軸を中心として、等角度間隔に掛止部１５２が設けられていてもよい。
【００７６】
上記の構成によれば、複数の掛止部１５２を備えているカメラ側ケーブルコネクタ１５ａを実現することができる。
【００７７】
また、掛止部１５２を複数備えているため、例えば、コネクタキャップ５０を装着せずにカメラ側ケーブルコネクタ１５ａをトロッカ３１に挿入させようとした場合、複数の掛止部１５２がトロッカ３１の挿入口の縁に引っ掛かる。すなわち、トロッカ３１との衝突により生じる衝撃を分散して受け止めることができる。そのため、カメラ側ケーブルコネクタ１５ａの故障を低減することができる。
【００７８】
なお、後述の実施形態２および３においても、カメラ側ケーブルコネクタ１５ａが備えている掛止部１５２の数は単数でも複数でもよく、特に限定されない。
【００７９】
（変形例３）
次に、本実施形態の他の変形例について、以下に説明する。なお、説明の便宜上、上記実施形態にて説明した部材と同じ機能を有する部材については、同じ符号を付記し、その説明を繰り返さない。また、本変形例にて示す構成を後述の実施形態に適宜適用してもよい。
【００８０】
（概要）
本変形例においては、コネクタキャップ５０とカメラ側ケーブルコネクタ１５ａとをワイヤ８によって繋ぐことによって、一体化する。上記の構成によれば、コネクタキャップ５０の紛失を防止することができる。
【００８１】
（ワイヤ８）
ワイヤ８は、コネクタキャップ５０とカメラ側ケーブルコネクタ１５ａとを繋ぐものである。コネクタキャップ５０とカメラ側ケーブルコネクタ１５ａとの繋ぎ方のバリエーションを、図９を用いて説明する。
【００８２】
図９の（ａ）から（ｄ）はコネクタキャップ５０とカメラ側ケーブルコネクタ１５ａとの繋ぎ方の一例を示す図である。左図は、コネクタキャップ５０がカメラ側ケーブルコネクタ１５ａから外れている状態を示している。右図は、コネクタキャップ５０がカメラ側ケーブルコネクタ１５ａに装着されている状態を示している。
【００８３】
図９の（ａ）に示す例では、ワイヤ８とコネクタキャップ５０とはコネクタキャップ５０の略中心で接続している。また、ワイヤ８とカメラ側ケーブルコネクタ１５ａとはカメラ側ケーブルコネクタ１５ａの略中心で接続している。
【００８４】
図９の（ｂ）に示す例では、ワイヤ８とコネクタキャップ５０とは、ワイヤ８がコネクタキャップ５０の周囲に巻かれることによって接続している。また、ワイヤ８とカメラ側ケーブルコネクタ１５ａとは、ワイヤ８がカメラ側ケーブルコネクタ１５ａの周囲に巻かれることによって接続している。
【００８５】
図９の（ｃ）に示す例では、ワイヤ８とコネクタキャップ５０とは、ワイヤ８がコネクタキャップ５０の周囲に巻かれることによって接続している。また、ワイヤ８とカメラ側ケーブル１２とは、ワイヤ８がカメラ側ケーブル１２の周囲に巻かれることによって接続している。
【００８６】
カメラ側ケーブルコネクタ１５ａはカメラ側ケーブル１２の末端側に位置し、その外径はカメラ側ケーブル１２の外径よりも大きい。よって、上記の構成によれば、ワイヤ８が外れることを抑制することができる。
【００８７】
図９の（ｅ）は、図９の（ｄ）に示すコネクタユニットの断面図である。図９の（ｄ）および（ｅ）に示す例では、ワイヤ８はコネクタキャップ５０の側面を貫通し、コネクタキャップ５０の内側にてコネクタキャップ５０と接続している。また、ワイヤ８とカメラ側ケーブルコネクタ１５ａとは、ワイヤ８がカメラ側ケーブルコネクタ１５ａの周囲に巻かれることによって接続している。なお、ワイヤ８がカメラ側ケーブル１２の側面を貫通しカメラ側ケーブル１２の内側にてカメラ側ケーブル１２と接続してもよい。
【００８８】
また、カメラ側ケーブルコネクタ１５ａの側面およびコネクタキャップ５０の側面におけるワイヤ８が巻かれる位置には溝が設けられていてもよい。
【００８９】
また、カメラ側ケーブルコネクタ１５ａの側面に、カメラ側ケーブルコネクタ１５ａの中心軸方向に沿った溝が設けられていてもよい。上記溝はワイヤ８を格納するために用いられてもよい。
【００９０】
上記の構成によれば、コネクタキャップ５０とカメラ側ケーブルコネクタ１５ａとから成るコネクタユニットの外径が太くなることを抑制することができる。そのため、細い径のトロッカ等を用いて、該コネクタユニットを体内に挿入することができる。
【００９１】
（変形例４）
本実施形態の他の変形例について、以下に説明する。なお、説明の便宜上、上記実施形態にて説明した部材と同じ機能を有する部材については、同じ符号を付記し、その説明を繰り返さない。また、本変形例にて示す構成を後述の実施形態に適宜適用してもよい。
【００９２】
（概要）
本実施形態１では、「カメラユニット１１の体内設置方法」において、設置治具７とコネクタユニット１００とを接続させ、カメラ側ケーブル１２を体外に引き出すことについて説明した。本変形例では、体内に挿入したコネクタユニット１００を体外に引き出すための設置治具７の構造の例および設置治具７に接続可能なコネクタキャップ５０の構造の例について、図１０を用いて説明する。
【００９３】
（コネクタキャップ５０および設置治具７）
図１０の（ａ）から（ｄ）はコネクタキャップ５０および設置治具７の一例を示す図である。
【００９４】
図１０の（ａ）に示す例では、コネクタキャップ５０は先端に磁石部８６を備えている。また、設置治具７は先端に磁石部７１を備えている。設置治具７の磁石部７１とコネクタキャップ５０の磁石部８６とは体内にて磁力によって接続される。なお、図示はしていないが、磁石部７１または磁石部８６のいずれか一方を磁性体とした構成としてもよい。
【００９５】
図１０の（ｂ）に示す例では、コネクタキャップ５０は先端に引掛け具８７を備えている。また、設置治具７は先端に泡立て器形状先端部７２を備えている。泡立て器形状先端部７２は、両端の２点で接続された複数の曲線形状の保持ワイヤによって構成されており、楕円体（回転楕円体）の形状を有している。上記複数の保持ワイヤは、外力を加えることによって変形可能である。また、持ち手レバー部（図示せず）を操作すると、先端部駆動用硬質ワイヤを介し、泡立て器形状先端部７２を筒型棒状部内に引き込む構造としてもよい。
【００９６】
泡立て器形状先端部７２は、力を加えていない状態では、先端が泡立て器状に広がることによって保持ワイヤ同士の間隔が大きくなり、レバーを引いて、この部分を筒型棒状部内に引き込む力を加えると、保持ワイヤ同士の間隔は小さくなる。このように、泡立て器形状先端部７２を構成する保持ワイヤ同士の間隔は可変である。
【００９７】
より具体的には、泡立て器形状先端部７２が筒型棒状部の外部にあるときの保持ワイヤ同士の間隔は、引掛け具８７の径に対応する大きさであることがより好ましい。これにより、引掛け具８７に泡立て器形状先端部７２を押し当てたときに、引掛け具８７を泡立て器形状先端部７２の内部に入れることができるとともに、引掛け具８７が泡立て器形状先端部７２の外部に出ることを抑制することができる。
【００９８】
図１０の（ｃ）に示す例では、コネクタキャップ５０は先端に第２接続部８８を備えている。また、設置治具７は先端に嵌込み部７３を備えている。コネクタキャップ５０の第２接続部８８は、設置治具７の嵌込み部７３の形状に応じた凹形状を有する。該凹形状に嵌込み部７３を嵌込むことにより設置治具７とコネクタキャップ５０とは接続される。
【００９９】
図１０の（ｄ）に示す例では、コネクタキャップ５０は先端にフック受付け部８９を備えている。また、設置治具７は先端にフック７４を備えている。設置治具７のフック７４をコネクタキャップ５０のフック受付け部８９に引掛けることにより設置治具７とコネクタキャップ５０とが接続される。
【０１００】
なお、コネクタキャップ５０とカメラ側ケーブルコネクタ１５ａとの接続力は、設置治具７とコネクタキャップ５０との接続力よりも大きくなるように設計することが好ましい。
【０１０１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【０１０２】
（概要）
本実施形態においては、カメラ側ケーブルコネクタ１５ａは、摺動部１６０、ばね１６１（弾性体）およびばね固定部１７０を備えている。また、掛止部１５２は、折り曲げ部１６４（曲折部）を備えている。
【０１０３】
（カメラ側ケーブルコネクタ１５ａの構成）
図１１を参照して、実施形態２に係るカメラ側ケーブルコネクタ１５ａの構成について説明する。図１１は、本実施形態に係るカメラ側ケーブルコネクタ１５ａの構成の一例を示す図である。
【０１０４】
詳細には、図１１は実施形態２に係るコネクタユニット１００の外観を示す図である。図１１の（ａ）および（ｂ）は、コネクタキャップ５０が装着されていない状態のカメラ側ケーブルコネクタ１５ａを示し、図１１の（ａ）は正面図であり、図１１の（ｂ）は側面図である。図１１の（ｃ）および（ｄ）は、コネクタキャップ５０が装着されている状態のカメラ側ケーブルコネクタ１５ａを示し、図１１の（ｃ）は正面図であり、図１１の（ｄ）は側面図である。なお、説明の便宜上、図１１にはコネクタキャップ５０の断面図を示している。
【０１０５】
（摺動部１６０）
摺動部１６０は、摺動基部１６０ａおよび２つの摺動壁１６０ｂから構成されており、コネクタ本体１５０の側壁１５１上にてカメラ側ケーブルコネクタ１５ａの中心軸方向に摺動する。摺動基部１６０ａは円筒形状の部位であり、コネクタキャップ５０が装着されていない状態においては、図１１の（ａ）および（ｂ）に示すように、ばね１６１によりカメラ側ケーブルコネクタ１５ａの先端側に向けて付勢される。
【０１０６】
一方、摺動基部１６０ａは、コネクタキャップ５０が装着されている状態においては、図１１の（ｃ）および（ｄ）に示すようにばね１６１を最も押圧する。また、コネクタキャップ５０が装着されている状態において、摺動基部１６０ａは、コネクタ本体１５０におけるカメラ側ケーブルコネクタ１５ａの先端から最も離間した位置に配置される。
【０１０７】
摺動壁１６０ｂは、摺動基部１６０ａからカメラ側ケーブルコネクタ１５ａの先端の方向に上記中心軸方向に延伸している。また、２つの摺動壁１６０ｂは、当該２つの摺動壁でコネクタ本体１５０を挟み込むように摺動基部１６０ａに配置されている。この摺動基部１６０ａと２つの摺動壁１６０ｂとが、コネクタキャップ５０が着脱する過程においてカメラ側ケーブルコネクタ１５ａの中心軸方向に摺動する。
【０１０８】
なお、摺動部１６０の構成および形状は上述の場合に限定されない。言い換えれば、側壁１５１上にてカメラ側ケーブルコネクタ１５ａの中心軸方向に摺動できるのであれば、摺動部１６０はどのような構成・形状であってもよい。
【０１０９】
（ばね１６１）
ばね１６１は、摺動基部１６０ａとばね固定部１７０との間に配置され、カメラ側ケーブルコネクタ１５ａの先端側に向かう方向に付勢する付勢力を有する。ばね１６１は、コネクタキャップ５０が装着されていない状態においては、図１１の（ａ）および（ｂ）に示すように、カメラ側ケーブルコネクタ１５ａの中心軸方向に最も伸張する。そして、上記付勢力によって、摺動基部１６０ａをコネクタ本体１５０のカメラ側ケーブル１２側の先端側に配置させる。
【０１１０】
なお、ばね１６１の巻き数や線径等は、所望する付勢力に応じて任意に変更してよい。また、ばね１６１に替えて、上記のような付勢力を有しているばね１６１以外の弾性体を用いてもよい。
【０１１１】
ここで、ばね固定部１７０は円板形状の部位であり、摺動基部１６０ａと略同一の外径を有する。また、ばね固定部１７０はカメラ側ケーブル１２に固定されており、当該ばね固定部１７０における摺動基部１６０ａと対向する側の端面にばね１６１が固定されている。
【０１１２】
（掛止部１５２）
掛止部１５２は、コネクタ本体１５０を挟み込むように、側壁１５１に２つ設けられている。掛止部１５２は、第１掛止部位１５２ａ、第２掛止部位１５２ｂ、コネクタ本体の側壁に設けられた回動軸（例えば、ヒンジ１６２・１６３）および折り曲げ部１６４から構成されている。
【０１１３】
第１掛止部位１５２ａおよび第２掛止部位１５２ｂはともに略四角柱形状であり、両者は略同一の形状・大きさとなっている。第１掛止部位１５２ａは、第２掛止部位１５２ｂよりもカメラ側ケーブルコネクタ１５ａの先端側に配置されている。
【０１１４】
ヒンジ１６２は、第１掛止部位１５２ａと側壁１５１とを接続する。第１掛止部位１５２ａは、ヒンジ１６２を介してカメラ側ケーブルコネクタ１５ａの中心軸から外側に向かって回転可能となっている。ヒンジ１６３は、第２掛止部位１５２ｂと摺動部１６０（具体的には、摺動基部１６０ａ）とを接続する。第２掛止部位１５２ｂは、ヒンジ１６３を介してカメラ側ケーブルコネクタ１５ａの中心軸から外側に向かって回転可能となっている。
【０１１５】
折り曲げ部１６４は、第１掛止部位１５２ａと第２掛止部位１５２ｂとを可動に接続するヒンジである。具体的には、折り曲げ部１６４は、第１掛止部位１５２ａにおけるヒンジ１６２と接続していない方の端部と、第２掛止部位１５２ｂにおけるヒンジ１６３と接続していない方の端部とを接続する。この折り曲げ部１６４によって、掛止部１５２は、カメラ側ケーブルコネクタ１５ａの中心軸から外側に向かって曲折可能となる。
【０１１６】
（嵌合凸部５１および嵌合凹部１５６）
実施形態１と同様に、コネクタキャップ５０には嵌合凸部５１が形成されており、側壁１５１には嵌合凹部１５６が形成されている。嵌合凸部５１および嵌合凹部１５６のそれぞれは、コネクタキャップ５０が装着されている状態において嵌合凸部５１が嵌合凹部１５６に嵌り込む位置に形成されている。
【０１１７】
このように、嵌合凸部５１が嵌合凹部１５６に嵌り込むことにより、コネクタキャップ５０が装着されている状態において、当該コネクタキャップ５０は摺動部１６０をカメラ側ケーブルコネクタ１５ａの根元側に押し戻すように固定される。なお、上述のようにコネクタキャップ５０が固定されるのであれば、嵌合凸部５１および嵌合凹部１５６以外の構成で当該固定が実現されてもよい。
【０１１８】
上記の構成によれば、コネクタキャップ５０が装着されている状態においては、掛止部１５２の折り曲げ部１６４による曲折を抑止することができる。そのため、コネクタキャップ５０が装着されている状態では、カメラ側ケーブルコネクタ１５ａの幅を所定の値よりも小さくすることができる。また、コネクタキャップ５０が未装着の状態では、ばね１６１が摺動部１６０をカメラ側ケーブルコネクタ１５ａの先端側に摺動させるため、掛止部１５２は曲折し、カメラ側ケーブルコネクタ１５ａの幅を所定の値よりも大きくすることができる。
【０１１９】
図１１の（ｅ）は、コネクタキャップ５０が未装着の状態のカメラ側ケーブルコネクタ１５ａの幅Ｗ５とトロッカ３１の口径Ｗ７との関係を示している。図１１の（ｅ）に示すように、Ｗ５はＷ７よりも大きい。すなわち、コネクタキャップ５０が未装着の状態のカメラ側ケーブルコネクタ１５ａをトロッカ３１に通すことはできない。
【０１２０】
図１１の（ｆ）は、コネクタキャップ５０が装着状態であるカメラ側ケーブルコネクタ１５ａの幅Ｗ６とトロッカ３１の口径Ｗ７との関係を示している。図１１の（ｆ）に示すように、Ｗ６はＷ７よりも小さい。すなわち、コネクタキャップ５０が装着状態のカメラ側ケーブルコネクタ１５ａをトロッカ３１に通すことが可能となる。
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【０１２１】
（概要）
本実施形態においては、コネクタキャップ５０と掛止部１５２とがワイヤ１６６で接続されている。なお、ワイヤ１６６以外の各部の形状・配置等については、実施形態１に係るカメラ側ケーブルコネクタ１５ａと同様である。
【０１２２】
（カメラ側ケーブルコネクタ１５ａの構成）
図１２を参照して、実施形態３に係るカメラ側ケーブルコネクタ１５ａの構成について説明する。図１２は、本実施形態に係るカメラ側ケーブルコネクタ１５ａの構成の一例を示す図である。
【０１２３】
詳細には、図１２は実施形態３に係るコネクタユニット１００の外観を示す図である。図１２の（ａ）は、コネクタキャップ５０が装着されている状態のカメラ側ケーブルコネクタ１５ａの正面図である。図１２の（ｂ）は、コネクタキャップ５０が装着されていない状態のカメラ側ケーブルコネクタ１５ａの正面図である。図１２の（ｃ）は、コネクタキャップ５０が装着されているカメラ側ケーブルコネクタ１５ａの斜視図である。
【０１２４】
また、図１２の（ｄ）の下図は、コネクタキャップ５０が装着されていないカメラ側ケーブルコネクタ１５ａの斜視図である。図１２の（ｄ）の上図は、カメラ側ケーブルコネクタ１５ａに装着されていないコネクタキャップ５０の斜視図である。なお、説明の便宜上、図１２の（ａ）および（ｂ）にはコネクタキャップ５０の断面図を示している。
【０１２５】
（ワイヤ１６６）
ワイヤ１６６は、図１２の（ａ）および（ｂ）に示すように、一端がコネクタキャップ５０の内側頂面に固定され、他端が掛止部１５２におけるカメラ側ケーブル１２側の端部に固定されている。また、ワイヤ１６６はヒンジ６０に係止されており、側壁１５１の内部および掛止部１５２の内部を貫通している。
【０１２６】
コネクタキャップ５０が装着されている状態においては、図１２の（ａ）および（ｃ）に示すように、コネクタキャップ５０とコネクタ本体１５０とで、掛止部１５２におけるカメラ側ケーブルコネクタ１５ａの先端側の端部を挟み込む状態となる。この状態において、掛止部１５２が掛止部収納溝１５５に収納され、かつ、コネクタキャップ５０の嵌合凸部５１（図１等参照）が側壁１５１の嵌合凹部１５６に嵌り込む。
【０１２７】
一方、コネクタキャップ５０を外す過程で、掛止部１５２におけるカメラ側ケーブル１２側の端部がワイヤ１６６に引っ張られることにより、当該掛止部１５２はコネクタ本体の側壁に設けられた回動軸（例えば、ヒンジ６０）を回転中心としてカメラ側ケーブルコネクタ１５ａの中心軸から外側に向かって回転する。そして、コネクタキャップ５０を外した状態においては、図１２の（ｂ）および（ｄ）に示すように、２つの掛止部１５２が傘状に開いた状態となる。
【０１２８】
上記の構成によれば、コネクタキャップ５０が装着されていない状態では、カメラ側ケーブルコネクタ１５ａの幅を所定の値よりも大きくすることができる。
【０１２９】
また、コネクタキャップ５０を装着する過程で、当該コネクタキャップ５０が外された時にカメラ側ケーブルコネクタ１５ａの中心軸から外側に向かって回転した掛止部１５２を、カメラ側ケーブルコネクタ１５ａの中心軸に向かって回転させることができる。そのため、コネクタキャップ５０が装着されている状態では、カメラ側ケーブルコネクタ１５ａの幅を所定の値よりも小さくすることができる。
【０１３０】
また、上記の構成によれば、ワイヤ１６６が外部から視認され難いことから、カメラ側ケーブルコネクタ１５ａおよびコネクタキャップ５０の外観が損なわれない。
【０１３１】
（変形例）
次に、本実施形態に係る変形例について、図１３および図１４を参照して説明する。
【０１３２】
（バリエーション１）
図１３の（ａ）〜（ｄ）は、本変形例に係るカメラ側ケーブルコネクタ１５ａに対するコネクタキャップ５０の装着を保持するための構成の一例を示す図である。図１３の（ａ）〜（ｄ）に示す例では、掛止部１５２におけるカメラ側ケーブルコネクタ１５ａの先端側の端部に、ロック凸部１６７が形成されている。また、掛止部収納溝１５５におけるカメラ側ケーブルコネクタ１５ａの先端側の端部に、ロック第１凹部１６８およびロック第２凹部１６９が形成されている。
【０１３３】
ロック凸部１６７は、断面略三角形状の凸部である。ロック第１凹部１６８は、ロック凸部１６７の形状に対応する形状の凹部である。また、ロック第１凹部１６８は、掛止部１５２が掛止部収納溝１５５に収納されている状態（コネクタキャップ５０が装着されている状態）において、ロック凸部１６７とロック第１凹部１６８とが嵌合する位置に形成されている。
【０１３４】
ロック第２凹部１６９も、ロック第１凹部１６８と同様にロック凸部１６７の形状に対応する形状の凹部である。また、ロック第２凹部１６９は、掛止部１５２が傘状に開いている状態（コネクタキャップ５０が装着されていない状態）において、ロック凸部１６７とロック第２凹部１６９とが嵌合する位置に形成されている。
【０１３５】
（バリエーション２）
次に、カメラ側ケーブルコネクタ１５ａに対するコネクタキャップ５０の装着を保持するための構成の他の例について、図１４の（ａ）〜（ｃ）を参照して説明する。図１４の（ａ）〜（ｃ）は、本変形例に係るカメラ側ケーブルコネクタ１５ａに対するコネクタキャップ５０の装着を保持するための構成の他の一例を示す図である。
【０１３６】
図１４の（ａ）〜（ｃ）に示す例では、上述のバリエーション１の構成に加えて、ワイヤ１６６が側壁１５１および掛止部１５２を貫通することなく、コネクタキャップ５０および掛止部１５２に固定されている。
【０１３７】
具体的には、ワイヤ１６６の一端が、コネクタキャップ５０における開口部側の側壁端部に固定されており、他端が、掛止部１５２におけるカメラ側ケーブル１２側の端部に固定されている。また、ワイヤ１６６はヒンジ６０に係止されていない。
【０１３８】
ワイヤ１６６は、掛止部１５２が掛止部収納溝１５５に収納されている状態（コネクタキャップ５０が装着されている状態）においては、図１４の（ａ）に示すようにワイヤ１６６の一部が折れ曲がる。一方、ワイヤ１６６は、掛止部１５２が傘状に開いている状態（コネクタキャップ５０が装着されていない状態）においては、図１４の（ｂ）に示すように伸び切った状態となる。
【０１３９】
〔まとめ〕
本発明の態様１に係るコネクタ（カメラ側ケーブルコネクタ１５ａ）は、コネクタキャップ（５０）を装着可能なコネクタであって、コネクタ本体の側壁に設けられた回動軸（ヒンジ６０）を介して、前記コネクタの中心軸から外側に向かって回転可能に当該コネクタ本体（１５０）の側壁（１５１）に接続する幅調整部（掛止部１５２）を備え、前記コネクタの中心軸に直交する断面において、前記コネクタ全体に外接する外接円（Ｃ）の直径は、（１）前記コネクタキャップが装着されている状態では、所定の値よりも小さくなり、（２）前記コネクタキャップが未装着の状態では、前記所定の値よりも大きくなる。
【０１４０】
上記の構成によれば、コネクタキャップが未装着の状態では、コネクタの中心軸に直交する断面において、前記コネクタ全体に外接する外接円の直径は所定の値より大きくなる。例えば、上記所定の値を、コネクタを挿入させるトロッカの口径としてもよい。この場合、コネクタキャップが未装着の状態では、前記コネクタを、口径が所定の値よりも小さいトロッカに挿入させることができない。よって、コネクタをトロッカに挿入させる場合において、コネクタキャップの装着忘れを防止することができるという効果を奏する。
【０１４１】
なお、本明細書では、コネクタの中心軸に直交する断面において、コネクタ全体に外接する外接円の直径が所定の値よりも小さくなっている状態を、「閉状態」とよぶ。
【０１４２】
また、コネクタの中心軸に直交する断面において、コネクタ全体に外接する外接円の直径が所定の値よりも大きくなっている状態を、「開状態」とよぶ。
【０１４３】
また、コネクタの中心軸に直交する断面において、コネクタ全体に外接する外接円の直径をコネクタの幅とよぶ。
【０１４４】
本発明の態様２に係るコネクタは、上記態様１において、前記コネクタが前記幅調整部を複数備えており、
複数の前記幅調整部の前記コネクタの中心軸から最も離れた部分に外接する外接円の直径は、（１）前記コネクタキャップが装着されている状態では、前記所定の値よりも小さくなり、（２）前記コネクタキャップが未装着の状態では、前記所定の値よりも大きくなってもよい。
【０１４５】
上記の構成によれば、複数の幅調整部を備えているコネクタを実現することができ、当該コネクタに対するコネクタキャップの装着忘れを防止することができる。
【０１４６】
また、幅調整部を複数備えているため、例えば、キャップを装着せずにコネクタをトロッカに挿入させようとした場合、複数の幅調整部がトロッカの挿入口の縁に引っ掛かる。すなわち、トロッカとの衝突により生じる衝撃を分散して受け止めることができる。そのため、コネクタの故障を低減することができるという効果を奏する。
【０１４７】
本発明の態様３に係るコネクタは、上記態様１において、前記コネクタが前記幅調整部を１つのみ備えており、前記幅調整部の前記コネクタの中心軸から最も離れた部分と、前記コネクタ本体とに外接する外接円の直径は、（１）前記コネクタキャップが装着されている状態では、前記所定の値よりも小さくなり、（２）前記コネクタキャップが未装着の状態では、前記所定の値よりも大きくなってもよい。
【０１４８】
上記の構成によれば、単数の幅調整部を備えているシンプルな構造でコネクタキャップの装着忘れを防止することができるコネクタを実現することができる。
【０１４９】
本発明の態様４に係るコネクタは、上記態様１から３のいずれか１態様において、前記コネクタ本体と前記幅調整部との間に、前記幅調整部を前記コネクタの中心軸から外側に向かって回転させる方向に付勢する付勢力を有する弾性体（ばね１５４）が設けられており、前記コネクタキャップが装着されている状態において、前記コネクタキャップと前記コネクタ本体とが前記幅調整部の少なくとも一部を挟み込んでもよい。
【０１５０】
上記の構成によれば、コネクタキャップが装着されている状態において、コネクタキャップとコネクタ本体とが幅調整部の少なくとも一部を挟み込む。そのため、コネクタキャップが装着されている状態においては、弾性体が幅調整部をコネクタの中心軸から外側に向かって回転させる方向に付勢する付勢力を、幅調整部を介してコネクタキャップが押さえつけることによって抑止することができる。そのため、コネクタキャップが装着されている状態では、コネクタの幅を所定の値よりも小さくすることができ、コネクタキャップが未装着の状態では、コネクタの幅を所定の値よりも大きくすることができるという効果を奏する。
【０１５１】
本発明の態様５に係るコネクタは、上記態様１から３のいずれか１態様において、前記コネクタ本体の側壁上にて前記コネクタの中心軸方向に摺動する摺動部（１６０）と、前記摺動部を前記コネクタの先端側に向かう方向に付勢する付勢力を有する弾性体（ばね１６１）とを備えており、前記幅調整部は、前記コネクタの中心軸から外側に向かって前記幅調整部を曲折させる曲折部（折り曲げ部１６４）を備え、かつ、コネクタ本体の側壁に設けられた回動軸（ヒンジ１６３）を介して前記コネクタの中心軸から外側に向かって回転可能に前記摺動部に接続しており、前記コネクタキャップが装着されている状態において、前記コネクタキャップは前記摺動部を前記コネクタの根元側に押し戻すように固定されてもよい。
【０１５２】
上記構成によれば、コネクタキャップが装着されている状態において、コネクタキャップは摺動部をコネクタの根元側に押し戻すように配置されている。そのため、コネクタキャップが装着されている状態においては、幅調整部の曲折部による曲折を抑止することができる。そのため、コネクタキャップが装着されている状態では、コネクタの幅を所定の値よりも小さくすることができるという効果を奏する。また、コネクタキャップが未装着の状態では、弾性体が摺動部をコネクタの先端側に摺動させるため、幅調整部は曲折し、コネクタの幅を所定の値よりも大きくすることができるという効果を奏する。
【０１５３】
本発明の態様６に係るコネクタは、上記態様１から３のいずれか１態様において、前記幅調整部と前記コネクタキャップとはワイヤ（１６６）によって接続されており、前記コネクタキャップを前記コネクタから外すことにより、前記幅調整部は前記ワイヤに引っ張られて、前記コネクタの中心軸から外側に向かって回転し、前記コネクタキャップが装着されている状態においては、前記コネクタキャップと前記コネクタ本体とが前記幅調整部の少なくとも一部を挟み込んでもよい。
【０１５４】
上記構成によれば、コネクタキャップが外されると、ワイヤに引っ張られ幅調整部はコネクタの中心軸から外側に向かって回転し、コネクタの幅を所定の値よりも大きくする。そのため、コネクタキャップが装着されていない状態では、コネクタの幅を所定の値よりも大きくすることができるという効果を奏する。
【０１５５】
また、コネクタキャップが装着されると、幅調整部を前記コネクタキャップと上記コネクタ本体とが前記幅調整部の少なくとも一部を挟み込む。そのため、コネクタキャップが外された時にコネクタの中心軸から外側に向かって回転した幅調整部を、コネクタの中心軸に向かって回転させることができる。そのため、コネクタキャップが装着されている状態では、コネクタの幅を所定の値よりも小さくすることができるという効果を奏する。
【０１５６】
本発明の態様７に係る体内撮像装置（カメラユニット１１）は、体内を監視するための体内撮像装置であって、体外に設けられている制御システムとの間の通信を可能にするケーブル（カメラ側ケーブル１２）を備え、前記ケーブルの端部に、上記態様１から６の何れか１態様のコネクタが設けられていてもよい。上記構成によれば、上記態様１と同様の効果を奏する。
【符号の説明】
【０１５７】
１５ａ  カメラ側ケーブルコネクタ（コネクタ）
１５０  コネクタ本体
１５１  側壁
１５２  掛止部（幅調整部）
１５４  ばね（弾性体）
１６０  摺動部
１６１  ばね（弾性体）
１６３  ヒンジ（コネクタ本体の側壁に設けられた回動軸）
１６４  折り曲げ部（曲折部）
１６６  ワイヤ
５０    コネクタキャップ
６０    ヒンジ（コネクタ本体の側壁に設けられた回動軸）
【図１】
2019179701.tif 000003
【図２】
2019179701.tif 000004
【図３】
2019179701.tif 000005
【図４】
2019179701.tif 000006
【図５】
2019179701.tif 000007
【図６】
2019179701.tif 000008
【図７】
2019179701.tif 000009
【図８】
2019179701.tif 000010
【図９】
2019179701.tif 000011
【図１０】
2019179701.tif 000012
【図１１】
2019179701.tif 000013
【図１２】
2019179701.tif 000014
【図１３】
2019179701.tif 000015
【図１４】
2019179701.tif 000016